(57)【特許請求の範囲】
【請求項１】
ベースマット上に配された複数の空気袋と、これら空気袋を膨張及び収縮させる給排気装置と、前記給排気装置を制御する制御装置とを備え、前記空気袋の膨張及び保持並びに収縮によりこれら空気袋上に寝ている人体をマッサージするエアーマッサージマットにおいて、ベースマット上の上記マッサージ用の複数の空気袋のうちの人体の腰部に対応する空気袋をマッサージ用の膨張時よりも少ない空気量の空気の供給で腰枕とするとともに空気の供給による腰の持ち上げ開始から一定時間経過後に収縮させて平面状態に戻す腰枕設定モードを備えていることを特徴とするエアーマッサージマット。
【請求項２】
空気袋の上記ベースマットへの沈み込み防止用であって内圧が調整自在とされたベース空気袋を、空気袋とベースマットの間に介在させていることを特徴とする請求項１記載のエアーマッサージマット。
【請求項３】
ベース空気袋は、人体の臀部に対応する位置に設けていることを特徴とする請求項１記載のエアーマッサージマット。
【請求項４】
ベース空気袋は、人体の腰部から臀部にかけての対応位置位置に設けていることを特徴とする請求項１記載のエアーマッサージマット。
【請求項５】
人体の下腿部に対応する空気袋が、膝用と足首用の複数に分割された空気袋からなるとともに、膨張時における膝部側の空気袋の上面が膨張時における足首部側の空気袋の上面より低くされていることを特徴とする請求項１記載のエアーマッサージマット。
【請求項６】
除湿用空気の流出口を備えた除湿用空気袋を備えていることを特徴とする請求項１記載のエアーマッサージマット。
【請求項７】
上記制御装置に対する指示入力用であって使用者によって操作される操作部を備えており、前記操作部に空気袋の膨張及び保持並びに収縮によるマッサージ速度の設定部を備えていることを特徴とする請求項１記載のエアーマッサージマット。
【請求項８】
設定部で設定された速度よりも遅い速度でマッサージ動作を行わせる動作モードを備えていることを特徴とする請求項７記載のエアーマッサージマット。
【請求項９】
設定部で設定された速度よりも速いマッサージ動作を行わせる動作モードを備えていることを特徴とする請求項７記載のエアーマッサージマット。
【請求項１０】
設定部で設定部で設定された速度よりも遅い速度でマッサージ動作を行わせた後、設定部で設定された速度よりも速いマッサージ動作を行わせる動作モードを備えていることを特徴とする請求項７記載のエアーマッサージマット。
【請求項１１】
上記制御装置に対する指示入力用であって使用者によって操作される操作部を備えており、上記空気袋は仰臥状態の身体背面の肩部右側、肩部左側、背部、腰部、臀部右側、臀部左側、脚部に夫々対応させて設けられているとともに、肩部右側に対応する空気袋、臀部左側に対応する空気袋、もしくは、肩部左側に対応する空気袋、臀部右側に対応する空気袋、の順に給排気を行って膨張及び保持並びに収縮させる動作モードを備えていることを特徴とする請求項１記載のエアーマッサージマット。
【請求項１２】
上記制御装置に対する指示入力用であって使用者によって操作される操作部を備えており、上記空気袋は仰臥状態の身体背面の肩部右側、肩部左側、背部、腰部、臀部右側、臀部左側、脚部に夫々対応させて設けられているとともに、腰部に対応する空気袋を膨張させ、該空気袋の膨張を保持したまま、臀部右側に対応する空気袋と臀部左側に対応する空気袋とを交互に膨張収縮させる動作モードを備えていることを特徴とする請求項１記載のエアーマッサージマット。
【請求項１３】
上記制御装置に対する指示入力用であって使用者によって操作される操作部を備えており、上記空気袋は仰臥状態の身体背面の肩部右側、肩部左側、背部、腰部、臀部右側、臀部左側、下腿部に夫々対応させて設けられているとともに、肩部右側に対応する空気袋と肩部左側に対応する空気袋と臀部右側に対応する空気袋と臀部左側に対応する空気袋とを同時に膨張収縮させる動作モードを備えていることを特徴とする請求項１記載のエアーマッサージマット。
【請求項１４】
上記制御装置に対する指示入力用であって使用者によって操作される操作部を備えており、上記空気袋は仰臥状態の身体背面の肩部右側、肩部左側、背部、腰部、臀部右側、臀部左側、脚部に夫々対応させて設けられているとともに、肩部右側に対応する空気袋と臀部右側に対応する空気袋を同時に膨張及び保持並びに収縮させ、続いて肩部左側に対応する空気袋と臀部左側に対応する空気袋を同時に膨張及び保持並びに収縮させる動作モードを備えていることを特徴とする請求項１記載のエアーマッサージマット。
【請求項１５】
上記制御装置に対する指示入力用であって使用者によって操作される操作部を備えており、上記空気袋は仰臥状態の身体背面の肩部右側、肩部左側、背部、腰部、臀部右側、臀部左側、脚部に夫々対応させて設けられているとともに、臀部右側に対応する空気袋と臀部左側に対応する空気袋を同時に膨張及び保持並びに収縮させ、続いて臀部右側に対応する空気袋と肩部右側に対応する空気袋を同時に膨張及び保持並びに収縮させ、続いて肩部右側に対応する空気袋と肩部左側に対応する空気袋を同時に膨張及び保持並びに収縮させ、続いて肩部左側に対応する空気袋と臀部左側に対応する空気袋を同時に膨張及び保持並びに収縮させる動作モードを備えていることを特徴とする請求項１記載のエアーマッサージマット。
【請求項１６】
上記制御装置に対する指示入力用であって使用者によって操作される操作部を備えており、上記空気袋は仰臥状態の身体背面の肩部右側、肩部左側、背部、腰部、臀部右側、臀部左側、脚部に夫々対応させて設けられているとともに、肩部右側に対応する空気袋と肩部左側に対応する空気袋と臀部右側に対応する空気袋と臀部左側に対応する空気袋とを同時に膨張及び並びに収縮させ、続いて腰部に対応する空気袋、或いは背部に対応する空気袋、或いは腰部に対麻する空気袋と背部に対応する空気袋を同時に膨張及び保持並びに収縮させる動作モードを備えていることを特徴とする請求項１記載のエアーマッサージマット。
【請求項１７】
上記制御装置に対する指示入力用であって使用者によって操作される操作部を備えており、上記空気袋は仰臥状態の身体背面の肩部右側、肩部左側、背部、腰部、臀部右側、臀部左側、脚部に夫々対応させて設けられているとともに、肩部右側に対応する空気袋と肩部左側に対応する空気袋と背部に対応する空気袋と腰部に対応する空気袋と臀部右側に対応する空気袋と臀部左側に対応する空気袋とを同時に膨張及び保持並びに収縮させ、続いて背部に対応する空気袋と腰部に対応する空気袋と臀部右側に対応する空気袋と臀部左側に対応する空気袋とを同時に膨張及び保持並びに収縮させ、続いて腰部に対応する空気袋と臀部右側に対応する空気袋と臀部左側に対応する空気袋とを同時に膨張及び保持並びに収縮させ、続いて臀部右側に対応する空気袋と臀部左側に対応する空気袋とを同時に膨張及び保持並びに収縮させる動作モードを備えていることを特徴とする請求項１記載のエアーマッサージマット。
【請求項１８】
上記制御装置に対する指示入力用であって使用者によって操作される操作部を備えており、上記空気袋は仰臥状態の身体背面の肩部右側、肩部左側、背部、腰部、臀部右側、臀部左側、大腿部、下腿部に夫々対応させて設けられているとともに、肩部右側に対応する空気袋と肩部左側に対応する空気袋とを同時に膨張及び保持並びに収緒させ、続いて背部に対応する空気袋と腰部に対応する空気袋とを同時に膨張及び保持並びに収縮させ、続いて臀部右側に対応する空気袋と臀部左側に対応する空気袋とを同時に膨張及び保持並びに収縮させ、続いて大腿部に対応する空気袋を膨張及び保持並びに収縮させ、続いて下腿部に対応する空気袋を膨張及び保持並びに収縮させる動作モードを備えていることを特徴とする請求項１記載のエアーマッサージマット。
【請求項１９】
上記制御装置に対する指示入力用であって使用者によって操作される操作部を備えており、上記空気袋は仰臥状態の身体背面の肩部右側、肩部左側、背部、腰部、臀部右側、臀部左側、大腿部、下腿部に夫々対応させて設けられ、さらに下腿部に対応する空気袋上に複数の空気袋を重畳して設けられているとともに、下腿部に対応する空気袋を膨張させ、該空気袋を保持したまま、該空気袋上の複数の空気袋を膨張及び保持並びに収縮させる動作モードを備えていることを特徴とする請求項１記載のエアーマッサージマット。
【請求項２０】
上記制御装置に対する指示入力用であって使用者によって操作される操作部を備えており、上記空気袋は仰臥状態の身体背面の肩部右側、肩部左側、背部、腰部、臀部右側、臀部左側、脚部に夫々対応させて設けられ、さらに背部に対応する位置に重畳して設けられた別の空気袋を膨張及び保持並びに収縮させる動作モードを備えていることを特徴とする請求項１記載のエアーマッサージマット。
【請求項２１】
背部に対応する位置に重畳して設けられた別の空気袋の横幅は、背部の長手方向の後正中線を中央とし、身体体幹部横幅の半分以上且つ身体体幹部横幅以下のサイズであることを特徴とする請求項２０記載のエアーマッサージマット。
【請求項２２】
背部に対応する位置に重畳して設けられた別の空気袋の膨張と収縮を、夫々人体の呼吸の吸気相と呼気相に対応させている動作モードを備えていることを特徴とする請求項２０または２１記載のエアーマッサージマット。
【請求項２３】
上記制御装置に対する指示入力用であって使用者によって操作される操作部を備えており、上記空気袋は仰臥状態の身体背面の肩部右側、肩部左側、背部、腰部、臀部右側、臀部左側、大腿部、下腿部に夫々対応させて設けられているとともに、大腿部に対応する空気袋を膨張させる時に前記給排気部から給気される空気を段階的に給気させる動作モードを備えていることを特徴とする請求項１記載のエアーマッサージマット。
【請求項２４】
仰臥状態の身体背面の肩部、背部、腰部、臀部、大腿部、脚部に夫々対応させて設けられた空気袋は、身体体幹部横幅以上の横幅であることを特徴とする請求項１〜２３のいずれかの項に記載のエアーマッサージマット。
【請求項２５】
上記制御装置に対する指示入力用であって使用者によって操作される操作部を備えており、上記空気袋は仰臥状態の身体背面の肩部右側、肩部左側、背部、腰部、臀部右側、臀部左側、下腿部に夫々対応させて設けられているとともに、下腿部に対応する空気袋を収縮させるにあたり、排気する空気量と排気時間とをゆらがせるモードを備えたことを特徴とする請求項１記載のエアーマッサージマット。
【請求項２６】
吸排気装置は、発熱部材の収納部から吸入した空気を空気袋へと送り出すものであることを特徴とする請求項１〜２５のいずれかの項に記載のエアーマッサージマット。
【請求項２７】
空気袋は吸排気装置におけるエアーポンプによる強制排気路と大気に開放された自然排気路とを備えていることを特徴とする請求項１〜２６のいずれかの項に記載のエアーマッサージマット。
【発明の詳細な説明】
【０００１】
【発明の属する技術分野】
本発明は、複数の空気袋の膨張収縮を給排気装置を制御することによってマッサージを行うエアーマッサージマット、殊に寝具としても使用することができるエアーマッサージマットに関するものである。
【０００２】
【従来の技術】
寝具としても使用することができるエアーマッサージマットでは、ベースマット上に複数の空気袋を配置し、これら空気袋を膨張収縮させることでマッサージを行い、寝具として使用する時は上記空気袋を収縮させてベースマットによって人体を支持するようになっている。
【０００３】
また、エアーマッサージマットの動作については就寝時に関するものとして特開平６−３３５４９９号公報に、眠気を十分に引き出すことができ、また静脈の血行促進を十分に促すことを目的として、空気袋の膨張収縮にかかる時間を時間の経過とともに遅くしていくものが示されている。また、起床時に関するものとしては、特開平６−３３５４９７号公報に、朝起きる際に心臓に負担を与えずに身体を心地よく目覚めさせることを目的として、空気袋の膨張収縮にかかる時間を時間の経過とともに速めていくものが示されている。
【０００４】
【特許文献１】
特開平６−３３５４９９号公報
【特許文献２】
特開平６−３３５４９７号公報
【０００５】
【発明が解決しようとする課題】
凹背（背面形状で腰のくびれの大きい）タイプの使用者等では、仰臥時に腰部とマットとの間に隙間ができて寝心地が悪い場合があり、この場合、一般には腰枕などを用いて隙間を埋めることが多かった。特公昭６１−１６４５５号公報のように、気密袋体で各体形体格に最も適した無理のない姿勢で身体を支持する方法もある。しかし、睡眠中は寝返りをしたり、横臥、伏臥姿勢になったりするために、途中で腰枕が不必要になったり邪魔になったりするという問題があった。また、これまでのエアーマッサージマットにおいては、ベースマット上に空気袋が配置されていることから、ベースマットの硬さによって空気袋の膨張による身体の持ち上がり高さや押圧が異なるという問題があった。これはベースマットが柔らかいために身体荷重がかかっている空気袋がベースマット中に沈み込んでしまうためである。もちろん、ベースマットを硬くすることで身体を効率よく持ち上げたり圧迫したりすることができるが、この場合、ベースマットの硬さが原因で睡眠中の寝心地が悪くなってしまう。
【０００６】
また、人体の下腿部（膝から足首までの部分）に対応する位置にある空気袋を膨張させて脚枕として使用する場合、一つの空気袋で下腿部を持ち上げていたことから、高く持ち上げようとすると、仰臥時おいて下方向に膨らんでいる脹脛への圧迫感が強くなりすぎるという問題があった。
【０００８】
さらに空気袋の膨張収縮動作の速度に関しては、空気袋が膨張・収縮している速度を速いと感じるか遅いと感じるかは使用者によって異なり、誰もが快適と感ずるものではない。また、様々な場面で用いるためには夫々の場面に適した動作が必要である。
【０００９】
本発明はこのような点に鑑みなされたものであって、その目的とするところは上記の問題点を解決して寝心地のよいエアーマッサージマットを提供したり、動作パラメータの設定で平常時、就寝前、起床時、仮眠時、或いはそれ以外の場面での快適な使用並びに動作を効率的に行うことができるエアーマッサージマットを提供するにある。
【００１０】
【課題を解決するための手段】
上述した目的を達成するため、請求項１記載の発明は、ベースマット上に配された複数の空気袋と、これら空気袋を膨張及び収縮させる給排気装置と、前記給排気装置を制御する制御装置とを備え、前記空気袋の膨張及び保持並びに収縮によりこれら空気袋上に寝ている人体をマッサージするエアーマッサージマットにおいて、ベースマット上の上記マッサージ用の複数の空気袋のうちの人体の腰部に対応する空気袋をマッサージ用の膨張時よりも少ない空気量の空気の供給で腰枕とするとともに空気の供給による腰の持ち上げ開始から一定時間経過後に収縮させて平面状態に戻す腰枕設定モードを備えていることに特徴を有している。マッサージ用の空気袋のうち、腰部に対応する空気袋を腰枕としても使用することができるようにしたものである。この時、空気袋の上記ベースマットへの沈み込み防止用であって内圧が調整自在とされたベース空気袋を、空気袋とベースマットの間に介在させていると、ベース空気袋を加圧膨張させることにより、空気袋がマットに沈み込んでしまうことを防ぐものであり、このためにベースマットとして就寝に適した硬さのものを用いることができる。
【００１１】
そして請求項３の発明は、人体の臀部に対応する位置に上記ベース空気袋を設けていることに特徴を有しており、請求項４の発明は人体の腰部から臀部にかけての対応位置に上記ベース空気袋を設けていることに特徴を有している。
【００１２】
また、請求項５の発明は、人体の下腿部に対応する空気袋を膝用と足首用の複数に分割された空気袋からなるとともに膨張時における膝部側の空気袋の上面を膨張時における足首部側の空気袋の上面より低くしていることに特徴を有している。
【００１３】
請求項６の発明は、除湿用空気の流出口を備えた除湿用空気袋を備えていることに特徴を有している。
【００１５】
請求項７の発明は、ベースマット上に配された複数の空気袋と、これら空気袋を膨張及び収縮させる給排気装置と、前記給排気装置を制御する制御装置と、制御装置に対する指示入力用であって使用者によって操作される操作部とを備え、前記空気袋の膨張及び保持並びに収縮によりこれら空気袋上に寝ている人体をマッサージするエアーマッサージマットにおいて、前記操作部に空気袋の膨張及び保持並びに収縮によるマッサージ速度の設定部を備えていることに特徴を有している。
【００１６】
請求項８の発明は、請求項７記載の発明において、設定部で設定された速度よりも遅い速度でマッサージ動作を行わせる動作モードを備えていることに特徴を有している。
【００１７】
請求項９の発明は、請求項７記載の発明において、設定部で設定された速度よりも速いマッサージ動作を行わせる動作モードを備えていることに特徴を有している。
【００１８】
請求項１０の発明は、請求項７記載の発明において、設定部で設定部で設定された速度よりも遅い速度でマッサージ動作を行わせた後、設定部で設定された速度よりも速いマッサージ動作を行わせる動作モードを備えていることに特徴を有している。
【００１９】
請求項１１の発明は、ベースマット上に配された複数の空気袋と、これら空気袋を膨張及び収縮させる給排気装置と、前記給排気装置を制御する制御装置と、制御装置に対する指示入力用であって使用者によって操作される操作部とを備え、前記空気袋の膨張及び保持並びに収縮によりこれら空気袋上に寝ている人体をマッサージするエアーマッサージマットにおいて、上記空気袋は仰臥状態の身体背面の肩部右側、肩部左側、背部、腰部、臀部右側、臀部左側、下腿部に夫々対応させて設けられているとともに、肩部右側に対応する空気袋、臀部左側に対応する空気袋、もしくは、肩部左側に対応する空気袋、臀部右側に対応する空気袋、の順に給排気を行って膨張及び保持並びに収縮させる動作モードを備えていることに特徴を有している。
【００２０】
請求項１２の発明は、ベースマット上に配された複数の空気袋と、これら空気袋を膨張及び収縮させる給排気装置と、前記給排気装置を制御する制御装置と、制御装置に対する指示入力用であって使用者によって操作される操作部とを備え、前記空気袋の膨張及び保持並びに収縮によりこれら空気袋上に寝ている人体をマッサージするエアーマッサージマットにおいて、上記空気袋は仰臥状態の身体背面の肩部右側、肩部左側、背部、腰部、臀部右側、臀部左側、下腿部に夫々対応させて設けられているとともに、腰部に対応する空気袋を膨張させ、該空気袋の膨張を保持したまま、臀部右側に対応する空気袋と臀部左側に対応する空気袋とを交互に膨張収縮させる動作モードを備えていることに特徴を有している。
【００２１】
請求項１３の発明は、ベースマット上に配された複数の空気袋と、これら空気袋を膨張及び収縮させる給排気装置と、前記給排気装置を制御する制御装置と、制御装置に対する指示入力用であって使用者によって操作される操作部とを備え、前記空気袋の膨張及び保持並びに収縮によりこれら空気袋上に寝ている人体をマッサージするエアーマッサージマットにおいて、上記空気袋は仰臥状態の身体背面の肩部右側、肩部左側、背部、腰部、臀部右側、臀部左側、下腿部に夫々対応させて設けられているとともに、肩部右側に対応する空気袋と肩部左側に対応する空気袋と臀部右側に対応する空気袋と臀部左側に対応する空気袋とを同時に膨張収縮させる動作モードを備えていることに特徴を有している。
【００２２】
請求項１４の発明は、ベースマット上に配された複数の空気袋と、これら空気袋を膨張及び収縮させる給排気装置と、前記給排気装置を制御する制御装置と、制御装置に対する指示入力用であって使用者によって銀作される操作部とを備え、前記空気袋の膨張及び保持及び収縮によりこれらの空気袋上に寝ている人体をマッサージするエアーマッサージマットにおいて、上記空気袋は仰臥状態の身体背面の肩部右側、肩部左側、背部、腰部、臀部右側、臀部左側、脚部に夫々対応させて設けられているとともに、肩部右側に対応する空気袋と臀部右側に対応する空気袋を同時に膨張及び保持並びに収縮させ、続いて肩部左側に対応する空気袋と臀部左側に対応する空気袋を同時に膨張及び保持並びに収縮させる動作モードを備えていることに特徴を有している。
【００２３】
請求項１５の発明は、ベースマット上に配された複数の空気袋と、これら空気袋を膨張及び収縮させる給排気装置と、前記給排気装置を制御する制御装置と、制御装置に対する指示入力用であって使用者によって操作される操作部とを備え、前記空気袋の膨張及び保持並びに収縮によりこれらの空気袋上に寝ている人体をマッサージするエアーマッサージマットにおいて、上記空気袋は仰臥状態の身体背面の肩部右側、肩部左側、背部、腰部、臀部右側、臀部左側、脚部に夫々対応させて設けられているとともに、臀部右側に対応する空気袋と臀部左側に対応する空気袋を同時に膨張及び保持並びに収縮させ、続いて臀部右側に対応する空気袋と肩部右側に対応する空気袋を同時に膨張及び保持並びに収縮させ、続いて肩部右側に対応する空気袋と肩部左側に対応する空気袋を同時に膨張及び保持並びに収縮させ、続いて肩部左側に対応する空気袋と臀部左側に対応する空気袋を同時に膨張及び保持並びに収縮させる動作モードを備えていることに特徴を有している。
【００２４】
請求項１６の発明は、ベースマット上に配された複数の空気袋と、これら空気袋を膨張及び収縮させる給排気装置と、前記給排気装置を制御する制御装置と、制御装置に対する指示入力用であって使用者によって操作される操作部とを備え、前記空気袋の膨張及び保持及び収縮によりこれらの空気袋上に寝ている人体をマッサージするエアーマッサージマットにおいて、上記空気袋は仰臥状態の身体背面の肩部右側、肩部左側、背部、腰部、臀部右側、臀部左側、脚部に夫々対応させて設けられているとともに、肩部右側に対応する空気袋と肩部左側に対応する空気袋と臀部右側に対応する空気袋と臀部左側に対応する空気袋とを同時に膨張及び並びに収縮させ、続いて腰部に対応する空気袋、或いは背部に対応する空気袋、或いは腰部に対麻する空気袋と背部に対応する空気袋を同時に膨張及び保持並びに収縮させる動作モードを備えていることに特徴を有している。
【００２５】
請求項１７の発明は、ベースマット上に配された複数の空気袋と、これら空気袋を膨張及び収縮させる給排気装置と、前記給排気装置を制御する制御装置と、制御装置に対応する、指示入力用であって使用者によって操作される操作部とを備え、前記空気袋の膨張及び保持及び収縮によりこれらの空気袋上に寝ている人体をマッサージするエアーマッサージマットにおいて、上記空気袋は仰臥状態の身体背面の肩部右側、肩部左側、背部、腰部、臀部右側、臀部左側、脚部に夫々対応させて設けられているとともに、肩部右側に対応する空気袋と肩部左側に対応する空気袋と背部に対応する空気袋と腰部に対応する空気袋と臀部右側に対応する空気袋と臀部左側に対応する空気袋とを同時に膨張及び保持並びに収縮させ、続いて背部に対応する空気袋と腰部に対応する空気袋と臀部右側に対応する空気袋と臀部左側に対応する空気袋とを同時に膨張及び保持並びに収縮させ、続いて腰部に対応する空気袋と臀部右側に対応する空気袋と臀部左側に対応する空気袋とを同時に膨張及び保持並びに収縮させ、続いて臀部右側に対応する空気袋と臀部左側に対応する空気袋とを同時に膨張及び保持並びに収縮させる動作モードを備えていることに特徴を有している。
【００２６】
請求項１８の発明は、ベースマット上に配された複数の空気袋と、これら空気袋を膨張及び収溝させる給排気装置と、前記給排気装置を制御する制御装置と、制御装置に対する指示入力用であって使用者によって操作される操作部とを備え、前記空気袋の膨張及び保持並びに収縮によりこれらの空気袋上に寝ている人体をマッサージするエアーマッサージマットにおいて、上記空気袋は仰臥状態の身体背面の肩部右側、肩部左側、背部、腰部、臀部右側、臀部左側、大腿部、下腿部に夫々対応させて設けられているとともに、肩部右側に対応する空気袋と肩部左側に対応する空気袋とを同時に膨張及び保持並びに収緒させ、続いて背部に対応する空気袋と腰部に対応する空気袋とを同時に膨張及び保持並びに収縮させ、続いて臀部右側に対応する空気袋と臀部左側に対応する空気袋とを同時に膨張及び保持並びに収縮させ、続いて大腿部に対応する空気袋を膨張及び保持並びに収縮させ、続いて下腿部に対応する空気袋を膨張及び保持並びに収縮させる動作モードを備えていることに特徴を有している。
【００２７】
請求項１９の発明は、ベースマット上に配された複数の空気袋と、これら空気袋を膨張及び収縮させる給排気装置と、前記給排気装置を制御する制御装置と、制御装置に対する指示入力用であって使用者によって操作される操作部とを備え、前記空気袋の膨張及び保持及び収縮によりこれらの空気袋上に寝ている人体をマッサージするエアーマッサージマットにおいて、上記空気袋は仰臥状態の身体背面の肩部右側、肩部左側、背部、腰部、臀部右側、臀部左側、大腿部、下腿部に夫々対応させて設けられ、さらに下腿部に対応する空気袋上に複数の空気袋を重畳して設けられているとともに、下腿部に対応する空気袋を膨張させ、該空気袋を保持したまま、該空気袋上の複数の空気袋を膨張及び保持並びに収縮させる動作モードを備えていることに特徴を有している。
【００２８】
請求項２０の発明は、ベースマット上に配された複数の空気袋と、これら空気袋を膨張及び収縮させる給排気装置と、前記給排気装置を制御する制御装置と、制御装置に対する指示入力用であって使用者によって操作される操作部とを備え、前記空気袋の膨張及び保持並びに収縮によりこれら空気袋上に寝ている人体をマッサージするエアーマッサージマットにおいて、上記空気袋は仰臥状態の身体背面の肩部右側、肩部左側、背部、腰部、臀部右側、臀部左側、脚部に夫々対応させて設けられ、さらに背部に対応する位置に重畳して設けられた別の空気袋を膨張及び保持並びに収縮させる動作モードを備えていることに特徴を有している。
【００２９】
請求項２１の発明は、背部に対応する位置に重畳して設けられた別の空気袋の横幅は、背部の長手方向の後正中線を中央とし、身体体幹部横幅の半分以上且つ身体体幹部横幅以下のサイズであることに特徴を有している。
【００３０】
請求項２２の発明は、背部に対応する位置に重畳して設けられた別の空気袋の膨張と収縮を、夫々人体の呼吸の吸気相と呼気相に対応させている動作モードを備えていることに特徴を有している。
【００３１】
請求項２３の発明は、ベースマット上に配された複数の空気袋と、これら空気袋を膨張及び収縮させる給排気装置と、前記給排気装置を制御する制御装置と、制御装置に対する指示入力用であって使用者によって操作される操作部とを備え、前記空気袋の膨張及び保持及び収縮によりこれらの空気袋上に寝ている人体をマッサージするエアーマッサージマットにおいて、上記空気袋は仰臥状態の身体背面の肩部右側、肩部左側、背部、腰部、臀部右側、臀部左側、大腿部、下腿部に夫々対応させて設けられているとともに、大腿部に対応する空気袋を膨張させる時に前記給排気部から給気される空気を段階的に給気させる動作モードを備えていることに特徴を有している。
【００３２】
請求項２４の発明は、仰臥状態の身体背面の肩部、背部、腰部、臀部、大腿部、脚部に夫々対応させて設けられた空気袋は、身体体幹部横幅以上の横幅であることに特徴を有している。
【００３３】
請求項２５の発明は、ベースマット上に配された複数の空気袋と、これら空気袋を膨張及び収縮させる給排気装置と、前記給排気装置を制御する制御装置と、制御装置に対する指示入力用であって使用者によって操作される操作部とを備え、前記空気袋の膨張及び保持並びに収縮によりこれら空気袋上に寝ている人体をマッサージするエアーマッサージマットにおいて、上記空気袋は仰臥状態の身体背面の肩部右側、肩部左側、背部、腰部、臀部右側、臀部左側、下腿部に夫々対応させて設けられているとともに、下腿部に対応する空気袋を収縮させるにあたり、排気する空気量と排気時間とをゆらがせるモードを備えていることに特徴を有している。
【００３４】
請求項２６の発明は、吸排気装置が発熱部材の収納部から吸入した空気を空気袋へと送り出すものであることに特徴を有しており、さらに請求項２７の発明は、吸排気装置におけるエアーポンプによる強制排気路と大気に開放された自然排気路とを空気袋が備えていることに特徴を有している。
【００３５】
【発明の実施の形態】
以下本発明を実施の形態の一例に基づいて説明すると、図示例のエアーマッサージマット１は、ベースマット１ｃと中層マット１ｂと上層マット１ａの三層からなるとともに、上層マット１ａの下層に空気袋２を配置し、さらに該空気袋２の下層にベース空気袋３を配置したもので、ここでは空気袋２として、仰臥状態の身体背面の左右の肩部に夫々対応する空気袋２ａ，２ａと、背部に対応する空気袋２ｂと、腰部に対応する空気袋２ｃと、左右の臀部に夫々対応する空気袋２ｄ，２ｄと、下腿部に対応する空気袋２ｅとを設けている（人体各部との対応位置関係は図３参照。また、図３７に示すように、大腿部に対応する空気袋２ｆも設けたものでもよい）。またベース空気袋３としては、中層マット１ｂをくり抜いた部分に位置するとともに、上記の全空気袋２ａ〜２ｅとベースマット１ｃとの間に介在するものを用いている。
【００３６】
また、これら空気袋２ａ〜２ｅ及びベース空気袋３を個別に膨張及び収縮させる給排気装置４と、給排気装置４を制御する制御装置５もマット１内の隅部に配置している。なお、全空気袋２ａ〜２ｅとベースマット１ｃにエアホースを介して接続される給排気装置４及び制御装置５は、マット１外に設置されるものであってもよい。図中６は操作器である。
【００３７】
なお、仰臥状態の身体背面の各部位に対応するマッサージ用の空気袋２ａ〜２ｅは、その位置を身長、体格にあわせてマット１の長手方向に変更することができるようにしておくのが好ましく、このようにしておくことで最適な位置で効果的にマッサージ動作を与えることができる。この時、図６に示すように、腰部に対応する空気袋２ｃと臀部に対応する空気袋２ｄ，２ｄは相互に連結して、同時に移動させることができるようにしておくとよい。一つずつ移動させるよりも調節が容易であるとともに、一般的に腰部と臀部の距離は身長によって大差がないので、身長の差による問題が起きることは殆どない。図７に示すように、肩部に対応する空気袋２ａ，２ｂと背部に対応する空気袋２ｂについても同様に相互に連結しておいてもよい。
【００３８】
図２では、上層１ａ、中層１ｂ、下層（ベースマット）１ｃの三層構造からなるとともに上層１ａの下層に空気袋２ａ〜２ｅを配したマット１を示しているが、身体ヘマッサージ動作を与えることが可能であればマット１は何層であってもよいし、空気袋２ａ〜２ｅをいずれの層の位置もしくは層間に配置してもよい。また、ベース空気袋３が中層マット１ｂをくり抜いた部分にはめ込んでいるが、ベース空気袋３はマッサージ用の空気袋２ａ〜２ｅより下部で且つベースマット１ｃの上層にあればよい。
【００３９】
次に、図３のブロック図に基づき説明する。操作器６にて動作を設定するためのスイッチを押すと、空気袋２ａ〜２ｅ，３を膨張・収縮させる速度を制御する動作速度制御部５１と、空気袋２ａ〜２，３ｅを膨張・保持・収縮させる時間を制御する動作時間制御部５２と、複数の空気袋２ａ〜２ｅ，３から膨張・保持・収縮させる空気袋２ａ〜２ｅ，３を選択する動作空気袋選択部５３と、次に動作させる空気袋２ａ〜２ｅ，３を切り換えるまでにかかる時間を制御する切換時間制御部５４に対して、動作に対応する設定パターン信号が伝達される。ここで制御されるパラメータとしては、身体の各部位に対応する空気袋２ａ〜２ｅへのエアー給気スピード、空気袋２ａ〜２ｅからの排気に際してのエアー排気スピード、エアー給気時間、エアー保持時間、エアー排気時間、どの空気袋２ａ〜２ｅ，３をどの順序でどういったタイミングで給気・保持・排気するか、といったものがある。続いて、制御装置６から設定パターン信号に基づく制御信号が給排気装置５に伝達され、設定パターン信号に従いエアーポンプ４１と加圧分岐部４２と電磁弁４３ａ〜４３ｆが駆動されることで、ベース空気袋３及び身体の各部位に対応する空気袋２ａ〜２ｅの膨張・保持・収縮の動作がなされ、設定パターンで身体ヘマッサージ動作を与えることができる。エアーポンプ４１と電磁弁４３の動作と対応する空気袋２の動作を図５に示す。そして、身体の各部位に対応する空気袋２ａ〜２ｅを動作させる時には、同時にベース空気袋３の内圧を上げて硬くしておき、身体の各部位に対応する空気袋２ａ〜２ｅの沈み込みを防止する。なお、大腿部に対応させた空気袋２ｆを備えたものでは、この空気袋２ｆも空気袋２ａ〜２ｅと同様に膨張・保持・収縮の制御を行うものとする。
【００４０】
肩部と臀部に対応する空気袋２ａ，２ｄは仰臥する身体に対して左右一対で設けているが、これらの空気袋２ａ，２ａ及び空気袋２ｄ，２ｄは左右個別に膨張・保持・収縮させることができるようにしており、交互に膨張・収縮させることによって、夫々肩部と腰部とに対してひねり動作を与えることができるようにしている。背部と腰部に対応する空気袋２ｂ，２ｃは、その膨張時、夫々人体の背部と腰部に伸ばし動作を行わせることになる。また下腿部に対応する空気袋２ｅは、その膨張収縮により、脚部の上げ下げ動作を行わせることになる。なお、図３に示すように、肩部に対応する空気袋２ａ，２ａは、その膨張時の持ち上げ中心位置が肩甲骨の中心イに合うように配置しておくことによって、しっかり高く効果的に肩を持ち上げて左右にひねることかできる。この時にストレッチされる主な筋は、僧帽筋、肩甲挙筋等である。一方の空気袋２ａの片側上に他方の空気袋２ａを重畳させておけば、人体の中心線に近いところを持ち上げることができる。
【００４１】
ベース空気袋３は、マッサージ中は身体の各部位に対応する空気袋２ａ〜２ｅの沈み込みを防止するために設けたものであり、このためにマッサージ中は上述のように加圧状態として空気袋２ａ〜２ｅの沈み込みを防ぐが、マッサージ終了後にはその内圧を下げて身体の沈み込み量を調節し、寝心地よく身体にフィットするようにしておく。ベース空気袋３の厚みは例えば約４ｃｍ以上あると使用者の体形や体格にかかわらず、適切な調節が可能である。
【００４２】
ベース空気袋３は、前述のように全身に対応するように全空気袋２ａ〜２ｅの下部に配置するほか、特定の部位の下層にのみ配置したものであってもよい。図８は臀部に対応する空気袋２ｄの下部だけに配置した場合を、図９は腰部及び臀部に対応する空気袋２ｃ，２ｄの下層にだけ配置した場合を示している。また、図１０に示すように、腰部に対応する空気袋２ｃの下部だけに配置してもよいし、図１１に示すように、上半身に対応する空気袋２ａ〜２ｄの下部に配置してもよい。さらに、図示はしていないがベース空気袋３が１気室である必要はなく、複数に分割して配置してもよいし、マット１の中層マット１ｂなどをベース空気袋３で構成するようにしてもよい。
【００４３】
もっとも、ベース空気袋３は、少なくとも臀部の対応位置には存在しているようにしておくのが好ましい。身体を頭部、胸部、上肢、臀部、脚部に分割したとすると、臀部の体重に対する重量比が最も高く（体重の約４４％を占めるとの報告もあり）、他の部位と比較して沈み込みやすいし、空気袋での身体持ち上げ負荷が高いからである。また、人体の体格差のことを考慮すれば、人体の腰部から臀部にかけての対応位置にベース空気袋３を設けておくとよい。使用者の体格差にかかわらず、臀部の下方位置にベース空気袋３を位置させることができる。
【００４４】
図１０は下腿部に対応する空気袋２ｅを膝部側と足首側とに２分割するとともに膝部側の空気袋２ｅを足首側の空気袋２ｅよりも小さくしている。これは両空気袋２ｅ，２ｅに空気を流入させて膨張させた時、膝部側の空気袋２ｅの上面よりも足首部側の空気袋２ｅの上面の方が高くなるようにするためである。もっとも、両空気袋２ｅ，２ｅが同じサイズであっても、膝部側の空気袋２ｅよりも足首側の空気袋２ｅに多くの空気を供給したり、足首側の空気袋２ｅを膨張させ、次に膝部側の空気袋２ｅを膨張させるようにしても、膝部側の空気袋２ｅよりも足首部側の空気袋２ｅを高くすることができる。いずれにしても、このように高さに差を持たせることで、脚を持ち上げた時に使用者が脹脛部に圧迫感を覚えることがないものとなる。
【００４５】
空気袋２ｅは完全に分割されていなくてもよく、図１４及び図１５に示すように、膝部に対応する側の幅を足首に対応する側より小さくして中央部のみを圧着した空気袋２ｅであっても、独立した二つの空気袋２ｅ，２ｅが並設されているのと同様の効果を得ることができる。この場合、足首に対応する側から空気を流入させて膨張させ、膝部に対応する側から空気を流出させて排気収縮させるのが好ましい。このほか、ここでは図示していないが、三つ以上の空気袋からなる構造でも、足首部が膝部より低い位置になることがないようにすればよく、下腿部に対応する空気袋の数は限定されない。
【００４６】
次に、エアーマッサージマットの動作内容の実施例について説明する。空気袋２ａ〜２ｅを速い速度で膨張させるためには、エアーポンプ４１としてその能力が高くて流量を大きくとることができるものを用いるのが好ましい。能力が大きければ、速い速度から遅い速度までを調整して使用できる。このほか、エアーポンプ４１の駆動を制御するのではなく、エアーポンプ４１と空気袋２ａ〜２ｅを接続するホースや電磁弁４３ａ〜４３ｆの径を変えておくことによっても空気袋を膨張させる速度を設定することができ、電磁弁４３ａ〜４３ｆとして流量調節可能なものを用いれば、速度の制御を行うことができる。
【００４７】
空気袋２ａ〜２ｅを収縮させる場合においては、空気袋２ａ〜２ｅ上に載っている身体の体重で自然排気することもできるが、膨張時と共通、あるいは別に用意したエアーポンプ４１で強制的に排気するようにしてもよい。自然排気の場合、空気袋２ａ〜２ｅ上に載っている身体の体重によって空気袋２ａ〜２ｅの収縮する速度が決まるが、強制的に排気することによって、空気袋２ａ〜２ｅを収縮させる速度も調整することができる。またこの場合、身体の体重だけでは抜けきらない空気を完全に抜ききることもできる。
【００４８】
ただし、動作速度制御部５１で、空気袋２ａ〜２ｅを膨張・収縮させる速度を変化させる以外に、膨張と保持を交互に繰り返す段階的膨張を行わせることで空気袋２ａ〜２ｅが膨らみきるまでにかかる時間を制御したり、膨らみきった後、その状態を一定時間保持したり、切換時間制御部５４で次の空気袋が膨張されるまでの切換時間を制御することによっても主観的に感じる動作速度を変化させることができる。
【００４９】
まず、平常時（通常のマッサージ動作時）の動作は、使用者が好みで動作速度、動作時間、動作空気袋選択、切換時間の設定を行う。ここで、各使用者は体感として速くもなく遅くもない動作速度に設定する。例えば、図１６に示すように操作器６に平常時動作を設定するスイッチ６１に“速”と“遅”のスイッチ６２，６３を付設して、何れかのスイッチ６２，６３を押すことで動作速度、動作時間、動作空気袋選択、切換時間が同時に変更され、主観的に感じる動作速度を変化させ、主観的に通常と感じる速度の時に“設定”のスイッチ６４を押せば、その時の速度が平常時の速度にセットされるようにしておくのである。もちろん平常時の速度として予め一般的な動作が記録されているものであってもよく、この場合、操作器６に平常時スイッチ６１は必要なく、電源スイッチ６０を入れれば通常のマッサージ動作がなされるようにしておく。なお、「平常時」とは、上述のように単にマッサージを目的として使用する場合を指しており、次に述べる就寝前や起床時の特別な動作と区別するために用いている。
【００５０】
請求項８記載の使用者が設定した平常時の速度よりも遅いマッサージ動作が出力される動作モードは、就寝前に使用することを想定したもので、この時の基本動作は、動作速度制御部５１で空気袋の膨張速度を平常時より一定の割合で遅くしたり、或いは動作時間制御部５２で、膨張と保持を交互に繰り返して空気袋２ａ〜２ｅが膨らみきるまでにかかる時間を平常時より一定の割合で長くしたり、膨張状態の保持時間を長くしたり、或いは切換時間制御部５４で次の空気袋２ａ〜２ｅが膨張されるまでの切換時聞を長くしたりするものであり、ここでは操作器６の“おやすみコース”のスイッチ６５を入れたならば、図１７に示すように、動作速度制御部５１と動作時間制御部５２と切換時間制御部５３の全てが平常時よりも遅く（長く）するようにしている。このような動作モードは、就寝前に適したマッサージとなる。コースとしての動作時間は、１５分から３０分程度が適当で、時間がきたら自動的に電源がオフされるようにしてある。平常時に対する遅くする（長くする）一定の割合は、例えば５０％とすればよりが、この数値に限るものではなく、また変更できるようにしておいてもよい。
【００５１】
請求項９記載の使用者が設定した平常時の速度に対して一定の割合で速いマッサージ動作が出力される動作モードは、起床時に使用することを想定したもので、この時の基本動作は、動作速度制御部５１で空気袋の膨張速度を平常時より一定の割合で速くしたり、或いは動作時間制御部５２で、膨らみきった後の保持を行うことなく即座に排気に移るようにしたり、或いは切換時間制御部５４で次の空気袋２ａ〜２ｅが膨張されるまでの切換時間を短くしたりするものであり、ここでは操作器６の“おはようコース”のスイッチ６６を入れたならば、図１８に示すように、動作速度制御部５１と動作時間制御部５２と切換時間制御部５３の全てが平常時よりも速く（短く）するようにしている。このような動作モードは、起床時に適したマッサージとなる。コースとしての動作時間は、５分から１Ｏ分程度が適当で、時間がきたら自動的に電源がオフされるようにしてある。
【００５２】
さらに請求項１０に記載の使用者が設定した平常時の速度よりも遅いマッサージ動作が出力され、その後、使用者が設定した平常時の速度に対して一定の割合で速いマッサージ動作が出力される動作モードは、仮眠時に使用することを想定したもので、この時の基本動作は、最初に上述の“おやすみコース”のスイッチ６５を入れた時と同様の動作が出力され、５分から１５分程度時間が経過したところで一旦出力が停止され、さらに５分から１５分程度時間が経過したところで上述の“おはようコース”のスイッチ６６を入れた時と同様の動作が出力されるようにしており、ここでは“仮眠コース”のスイッチ６７を押せば、使用者が設定した平常時の速度に対して一定の割合で遅いマッサージ動作が出力され、所定の時間経過後に、使用者が設定した平常時の速度に対して一定の割合で速いマッサージ動作が出力されるようにしている。コースとしての動作時間は１５分から３０分程度が適当で、時間がきたら自動的に電源がオフされるようにしてある。なお、上述の各動作は、平常時、就寝前、起床時、仮眠時に限らず、使用者の好みでいつ使用してもよい。
【００５３】
出力されるマッサージ動作の速度の具体的な一例としては、“おやすみコース”の場合、肩部と臀部用の空気袋２ａ，２ｄが最大容量になるまでにかかる時間を１８秒以上、背部と腰部の空気袋２ｂ，２ｃが最大容量になるまでにかかる時間を１４秒以上とするのが効果的であり、また、“おはようコース”の場合、肩部と臀部用の空気袋２ａ，２ｄが最大容量になるまでにかかる時間を１８秒以下、背部と腰部の空気袋２ｂ，２ｃが最大容量になるまでにかかる時間を１４秒以下とするのが効果的である。ただし、使用者によって速度に関する感覚が異なることから、“おやすみコース”の場合は、主観的にゆったりした感覚があり、“おはようコース”の場合は“おやすみコース”の場合とは違った少し速めの動作だと使用者が感じればよい。
【００５４】
次に請求項１１〜２３，２５に記載の動作させる空気袋２ａ〜２ｅ（２ｆ）の順序について説明する。図１８は請求項１１に記載の動作を示しており、まず肩部右側に対応する空気袋２ａを膨張させる。これにより肩部右側が持ち上げられ、身体の後面では僧帽筋や肩甲挙筋などが圧迫され、前面では大胸筋などが伸展される。この時、身体の上半身は左側方向を向いている形となる。ここで、肩部右側に対応する空気袋２ａを収縮させ始めると同時に、肩部右側とは対角線上にある臀部左側に対応する空気袋２ｄを膨張させる。これにより、腰部の腸腰筋や大腰筋などが伸展されることに加えて、上半身がまだ左側方向を向いたままで腰周辺が右側にひねられるために、上半身と腰部周辺とは夫々反対側方向にひねられることになる。肩部左側と臀部右側についても同様に夫々反対側方向へのひねり動作が可能である。図２０(a)に空気袋２ａ，２ｄの動作を示したタイムチャートを示す。ここではどの空気袋２ａ，２ｄも同時に膨張・保持しないようにして動作させている。図２０(b)は、肩右加圧、次に肩右保持、次に肩右保持のまま尻左加圧、次に肩右、尻左保持（又は肩右減圧、尻左保持）、次に肩右、尻左減圧という動作を示している。また、他の順序例として図２０(c)を示す。なお、いずれの場合も対角線上にある空気袋は同時に膨張させていない。
【００５５】
図２１は請求項１２に記載の動作を示しており、腰部に対応する空気袋２ｃを最大容量まで膨張させ、この状態で保持したまま臀部右側に対応する空気袋２ｄを膨張させる。その後、臀部右側の空気袋２ｄを収縮させなから臀部左側の空気袋２ｄを膨張させる。このようにして臀部左右の空気袋２ｄ，２ｄの膨張と収縮を交互に繰り返す。
【００５６】
図２２は請求項１３に記載の動作を示しており、肩部両側に対応する空気袋２ａ，２ａと、臀部両側に対応する空気袋２ｄ，２ｄを同時に膨張させている。図２(b)に示すように、肩部に対応する空気袋２ａが肩部に、臀部に対応する空気袋２ｄが臀部に当たって上半身が持上げられることになる。この時、身体を長手方向上側に少しずらして臀部両側に対応する空気袋２ｄ，２ｄが脚部のつけ根辺りに当たるようにしてもよい（図２２(c)参照）。予め下腿部の付け根辺りに対応する空気袋を用意しておいてもよいのはもちろんであり、この場合、身体をずらす必要がなくなる。図２３に示すように、さらに下腿部に対応する空気袋２ｅを同時に膨張させて脚部も上げるようにしてもよい。
【００５７】
図２４は請求項１４に記載の動作を示しており、まず肩部右側に対応する空気袋２ａと臀部右側に対応する空気袋２ｄを同時に膨張させる。これにより肩部右側と臀部右側が持上げられ、身体が左側を向いて傾斜する形となる。ここで、この状態は保持させても保持させなくてもよい。続いて肩部右側に対応する空気袋２ａと臀部右側に対応する空気袋２ｄを収縮させ始めると同時に、肩部左側に対応する空気袋２ａと臀部左側に対応する空気袋２ｄを同時に膨張させる。これにより肩部左側と臀部左側が持上げられ、身体が右側を向いて傾斜する形となる。ここで、この状態は保持させても保持させなくてもよい。続いて肩部左側に対応する空気袋２ａと臀部左側に対応する空気袋２ｄを収縮させ始めると同時に、再び肩部右側に対応する空気袋２ａと臀部右側に対応する空気袋２ｄを同時に膨張させる。以降、これらの動作を繰り返し、身体を左右に傾斜して揺らすようにする。各動作は、空気袋を最大容量まで膨張させてもよいし、最大容量に達する前に次の動作に移ってもよい。
【００５８】
図２５は請求項１５に記載の動作を示しており、まず臀部右側に対応する空気袋２ｄと臀部左側に対応する空気袋２ｄを同時に膨張させる。ここで、この状態は保持させても保持させなくてもよい。続いて臀部右側に対応する空気袋２ｄと臀部左側に対応する空気袋２ｄを収縮させ始めると同時に、臀部右側に対応する空気袋２ｄと肩部右側に対応する空気袋２ａを同時に膨張させる。ここで、この状態は保持させても保持させなくてもよい。続いて臀部右側に対応する空気袋２ｄと肩部右側に対応する空気袋２ａを収縮させ始めると同時に、肩部右側に対応する空気袋２ａと肩部左側に対応する空気袋２ａを同時に膨張させる。ここで、この状態は保持させても保持させなくてもよい。続いて肩部右側に対応する空気袋２ａと肩部左側に対応する空気袋２ａを収縮させ始めると同時に、肩部左側に対応する空気袋２ａと臀部左側に対応する空気袋２ｄを同時に膨張させる。ここで、この状態は保持させても保持させなくてもよい。続いて肩部左側に対応する空気袋２ａと臀部左側に対応する空気袋２ｄを収縮させ始めると同時に、臀部右側に対応する空気袋２ｄと肩部左側に対応する空気袋２ａを同時に膨張させる。以降、これらの動作を繰り返し、上半身が時計回りに回転するような感じを与えるようにする。各動作は、空気袋を最大容量まで膨張させてもよいし、最大容量に達する前に次の動作に移ってもよい。また、動作させる空気袋の順序を逆にして回転方向を反転させ、身体が反時計回りに回転するような感じを与えるようにしてもよい。
【００５９】
図２６は請求項１６に記載の動作を示しており、まず肩部右側に対応する空気袋と肩部左側に対応する空気袋２ａと臀部右側に対応する空気袋２ｄと臀部左側に対応する空気袋２ｄとを同時に膨張させる。これにより肩部右側と肩部左側と臀部右側と臀部左側が持上げられ、上半身が持上げられる形となる。ここで、この状態は保持させても保持させなくてもよい。ただし、ここでは背部や腰部が支えられていない。続いて肩部右側に対応する空気袋２ａと肩部左側に対応する空気袋２ａと臀部右側に対応する空気袋と臀部左側に対応する空気袋２ｄを収縮させ始めると同時に、腰部に対応する空気袋２ｃと背部に対応する空気袋２ｂを同時に膨張させる。続いて腰部に対応する空気袋２ｃと背部に対応する空気袋２ｂを収縮させ始めると同時に、再び肩部右側に対応する空気袋２ａと肩部左側に対応する空気袋２ａと臀部右側に対応する空気袋２ｄと臀部左側に対応する空気袋２ｄとを同時に膨張させる。以降、これらの動作を繰り返し、上半身を持上げた時に、背部や腰部も支えられているような感じを与えるようにする。各動作は、空気袋を最大容量まで膨張させてもよいし、最大容量に達する前に次の動作に移ってもよい。
【００６０】
図２７は請求項１７に記載の動作を示しており、まず肩部右側に対応する空気袋２ａと肩部左側に対応する空気袋２ａと背部に対応する空気袋２ｂと腰部に対応する空気袋２ｃと臀部右側に対応する空気袋２ｄと臀部左側に対応する空気袋２ｄとを同時に膨張及び保持並びに収縮させる。この動作を１回動作或いは２回以上繰返して動作させる。続いて背部に対応する空気袋２ｂと腰部に対応する空気袋２ｃと臀部右側に対応する空気袋２ｄと臀部左側に対応する空気袋２ｄとを同時に膨張及び保持並びに収縮させる。この動作を１回動作或いは２回以上繰返して動作させる。続いて腰部に対応する空気袋２ｃと臀部右側に対応する空気袋２ｄと臀部左側に対応する空気袋２ｄとを同時に膨張及び保持並びに収縮させる。この動作を１回動作或いは２回以上繰返して動作させる。続いて臀部右側に対応する空気袋２ｄと臀部左側に対応する空気袋２ｄとを同時に膨張及び保持並びに収縮させる。この動作を１回動作或いは２回以上繰返して動作させる。このように、時間が経過するにつれて動作させる空気袋の数を減らしていく。つまり膨張する空気袋と身体との接触面積を滅らしていく。また、時間が経過するにつれて、動作させる空気袋の数を滅らしていくことができるのであれば、動作させる空気袋は上記に限るものではない。
【００６１】
図２８は請求項１８に記載の動作を示しており、まず肩部右側に対応する空気袋２ａと肩部左側に対応する空気袋２ａとを同時に膨張及び保持並びに収縮させる。この動作を１回動作或いは２回以上繰返して動作させる。続いて背部に対応する空気袋２ｂと腰部に対応する空気袋２ｃとを同時に膨張及び保持並びに収縮させる。この動作を１回動作或いは２回以上繰返して動作させる。続いて臀部右側に対応する空気袋２ｄと肩部左側に対応する空気袋２ａとを同時に膨張及び保持並びに収縮させる。続いて大腿部に対応する空気袋２ｆを膨張及び保持並びに収縮させる。この動作を１回動作或いは２回以上繰返して動作させる。続いて下腿部に対応する空気袋２ｅを膨張及び保持並びに収縮させる。この動作を１回動作或いは２回以上繰返して動作させる。このように、時間が経過するにつれて、動作させる空気袋の位置を上半身から下半身へ移動させる。また、時間が経過するにつれて、動作させる空気袋の位置を上半身から下半身へ移動しているような感じるを与えることができるのであれば、動作させる空気袋は上記に限るものではない。
【００６２】
図２９は請求項１９に記載の動作を示しており、図中の２ｅ１，２ｅ２，２ｅ３，２ｅ４は空気袋２ｅの上面側に重畳させて設けた空気袋で、個別に膨張収縮させることができるようにしている。その動作を説明すると、まず下腿部に対応する空気袋２ｅを膨張させる。そして下腿部に対応する空気袋２ｅを保持したままで、例えば、足先から膝側に向けて空気袋２ｅ１，２ｅ２，２ｅ３，２ｅ４をこの順で膨張及び保持並びに収縮させる。
【００６３】
図３０に示すように、空気袋２ｅ１，２ｅ２、空気袋２ｅ２，２ｅ３、空気袋２ｅ３，２ｅ４の順に２つずつ膨張及び保持並びに収縮させてもよい。また、下腿部に対応する空気袋２ｅ上の複数の空気袋２ｅ１，２ｅ２，２ｅ３，２ｅ４は順に動作させなくてもよいし、その順序がランダムであってもよい。
【００６４】
図３１は請求項２０に記載の背部に対応する位置に重畳させて設けた別の空気袋２ｇを示してる。この空気袋２ｇはその膨張時、胸や腹を背面から押し広げるような形となるため人体の吸気をしやすくし、収縮する時、呼気をしやすくする。なお、空気袋２ｇの横幅は、人体背部の長手方向の後正中線を中央とし、身体横幅Ｙの半分以上且つ身体横幅Ｙ以下のサイズＸ（Ｙ／２≦Ｘ≦Ｙ）としておくのが好ましい。身体体幹部横幅の平均値（年齢２０歳から６４歳の男女）が３２８ｍｍであるとのデータを用いると、空気袋２ｇの横幅Ｘは１６４ｍｍ以上３２８ｍｍ以下とするのである。空気袋２ｇの横幅Ｘをこの範囲内にすると、図に示すように膨張した空気袋２ｇが身体の側面に接することがない。なお、空気袋２ｇの横幅Ｘが身体体幹部横幅Ｙより長い場合は、胸や腹を背面から押し広げて呼吸をイメージさせる感じがなくなる。また身体体幹部横幅Ｙの半分より短い場合は、持ち上げた時にぐらつき感があったり、痛みを感じることがある。
【００６５】
図３２は請求項２２に記載の空気袋２ｇの動作を示しており、その膨張と収縮が夫々人体の呼吸の吸気相と呼気相に対応するように制御している。上述のように、空気袋２ｇが膨張する時には胸や腹を背面から押し広げるような形となるため吸気しやすいし、収縮する時にはふわっと身体が下に下がるため呼気しやすい。また、該空気袋２ｇが人体胸部の背面に位置していると胸式呼吸をしやすくする。この場合、空気袋２ｇは肩部に対応する空気袋２ａと背部に対応する空気袋２ｂとに重畳させるとよい。また、空気袋２ｇが人体腹部の背面に位置していると、腹式呼吸をしやすくする。この場合、空気袋２ｇは背部に対応する空気袋２ｂと腰部に対応する空気袋２ｃとに重畳させるとよい。
【００６６】
動作に対応させる呼吸周期の基準は、予め一般的な呼吸や深呼吸の周期を登録したものや、それらより少しだけ遅い周期或いは１／ｆゆらぎで変化するものや、ここでは図示しないが呼吸周期検出部により検出される人体の呼吸周期をリアルタイムでセンシングしてフィードバックするものや、時間の経過とともに上記の周期の組合せや比率を変えたりするものなどが考えられる。
【００６７】
図３３は請求項２３に記載の動作を示しており、大腿部に対応する空気袋２ｆに段階的な給気を行って段階的に膨張させている。この場合、荷重の関係で大腿部に対応する空気袋２ｆの膝に近い部分が持ち上がり、続いて臀部側も持ち上がるが、この時、持ち上がり時の押圧のピークが移動するように感じさせることができる。また、このように押圧のピークが移動するような感じを与えることができるのであれぼ、他の空気袋２ａ〜２ｅにも段階的な給気を行ってもよい。
【００６８】
図３４は請求項２４に記載の空気袋２（２ａ〜２ｆ）、つまりは横幅Ｚが身体の横幅Ｙよりも大きい空気袋２を示している。なお、肩部や臀部に対応する空気袋２ａ，２ｄのように左右で分割したものにおいては、この場合の横幅は、図３４(b)に示すように左右一組で考えるものとする。ただしこの場合には左右の各空気袋２の身体側の端は身体の下に挟み込まれる形で配置させる必要がある。いずれにしても、このような横幅Ｚとしておくことで、空気袋２は身体側面に接する部分が大きく膨張する。
【００６９】
空気袋２（２ａ〜２ｆ）の身体長手方向のサイズについては、シートを二枚張り合わせたもので構成すると、膨張させた時に円柱状となるために、そのサイズが長い場合、身体に接触する部分が線的になってしまい、接触感が悪かったり痛かったりする。よって、図示はしないが空気袋を身体横方向に複数に分割することによって圧刺激を柔らかい感触にすることもできる。
【００７０】
図３５は請求項２５に記載の動作を示しており、脚部に対応する空気袋２ｅを膨張させる時、脚が持ち上げられていると感じる高さまで持ち上げて、そこからさらに空気袋２ｅの最大容量まで膨張させる時に階段状に膨張させる。そして最大容量で一定時間一旦保持してから空気袋２ｅを収縮させる際、エアーの排気量と排気時間とをゆらがせて段階的に空気袋を収縮させている。
【００７１】
上記の各動作モードのほか、動作速度、動作時間、切換時間を制御することによって様々な目的のコース用動作を得ることができる。
【００７２】
図３６は腰部に対応する空気袋２ｃのみを膨張させた状態を示しており、マッサージ終了後に腰部に対応する空気袋２ｃだけを膨張させて腰枕として機能させることによって、入眠時に腰部の凹凸の隙間を埋めることができる。ただし、膨張させる高さはあらかじめ設定しておくものとする。図示していないが、自動的に腰部の隙間をセンシングして高さが調節されるようにしてあってもよい。なお、マッサージ時の膨張は身体を持ち上げたり押圧刺激を与えたりする空気量であるため、腰部の隙間を埋める腰枕とする場合はこれより少ない空気量でよい。ただし、使用者がこの空気袋２ｃによって腰が楽だと感じる高さまで持ち上がるだけの空気量が必要である。さらに、この腰枕機能は、持ち上げ開始から一定時間経過後は空気袋２ｃを収縮させて平面状態に戻すものとする。この時間は、所定の時間（例えは１時間）が予め設定されていてもよいし、使用者が好みで設定するようにしてもよい。使用者の睡眠状態をセンシングして、その睡眠状態（例えば、深睡眠状態に到達した等）に合わせて収縮するようにしてもよい。
【００７３】
図３７は、マット１内で身体の各部位に対応する空気袋２ａ〜２ｅの上面に除湿用空気袋７配置した例を示している。除湿用空気袋７は給排気装置５とエアーホースで繋がれており、給排気装置５から送られる空気を除湿用空気流出口７０から流出させることによってマット１内部を除湿する。除湿用空気袋７は流出させる空気でマット１内部を除湿できるのであれば、何れの位置に配置されていてもよく、たとえば図３８に示すように、身体の各部位に対応する空気袋２ａ〜２ｅの下に配置していてもよい。もっとも、図３９に示すように除湿用空気袋７の除湿用空気流出口７０をマット１に接する部分となる上面中央に一列にあると空気の流出がしにくくなることから、図４０に示すように除湿用空気袋７の上面中央から左右に振り分けた位置、つまりはマット１に接しない位置に除湿用空気流出口７０を設ければ、空気をスムーズに流出させることができる。
【００７４】
ところで、給排気装置４と制御装置５をマット１内に配置する場合、電磁弁やモータ駆動回路等の発熱部材がマット１内にあることになるために、その放熱が問題となる。このために、エアーポンプ４１の空気吸入を発熱部材が納められた筐体内から行うとよい。たとえば、図４１に示すように制御装置（本体回路）５と電磁弁とを一つの筐体に、エアーポンプ４１を他の筐体に納め、前者の筐体内から吸入した空気を電磁弁を通じて空気袋２ａ〜２ｆやベース空気袋３や除湿用空気袋７に送られるようにするのである。
【００７５】
また、膨張よりも排気を迅速に行うことができるように、空気袋２ａ〜２ｄに電磁弁付きの排気口を別に設けて、排気に際し、エアーポンプ４１による強制排気に加えて上記電磁弁付きの排気口を通じた自然排気も行うようにしてもよい。次のマッサージに早く移行できるために、連続的なマッサージを行う場合に効果的である。
【００７６】
以上の各例では空気袋２ａ〜２ｆとして収縮時に平面状となるを用いたが、これは睡眠時に邪魔にならず、寝具として都合がよい上に、比較的簡便な構成にすることが可能であること、膨張する時に最初は身体への当たりが柔らかであること、などの理由からである。ただし、これらの動作だけに関しては、空気以外に機械的に身体を持ち上げてマッサージやストレッチングを行う場合でも、同様に身体へのマッサージ動作を変化させることができれば手段は空気袋に限らない。
【００７７】
【発明の効果】
以上のように請求項１の発明は、ベースマット上に配された複数の空気袋と、これら空気袋を膨張及び収縮させる給排気装置と、前記給排気装置を制御する制御装置とを備え、前記空気袋の膨張及び保持並びに収縮によりこれら空気袋上に寝ている人体をマッサージするエアーマッサージマットにおいて、ベースマット上の上記マッサージ用の複数の空気袋のうちの人体の腰部に対応する空気袋をマッサージ用の膨張時よりも少ない空気量の空気の供給で腰枕とするとともに空気の供給による腰の持ち上げ開始から一定時間経過後に収縮させて平面状態に戻す腰枕設定モードを備えているために、腰部の凹凸の隙間を埋めて負担がかからないように寝姿勢を保持することができる。また、空気袋であるため、必要なくなった場合でも収縮させればよく、途中で取り除く必要がない。また、マッサージ用の空気袋と共用であるため、部品点数を減らし、構成が簡素にできる。さらに、腰部に対応する空気袋に加えて請求項１に記載のベース空気袋の硬さも同時に適切に調節することによって、空気袋を腰部から臀部にかけての形状にフィットさせ、より身体にかかる負担を減らし、寝心地をよくすることができる。そして請求項２の発明においては、空気袋の上記ベースマットへの沈み込み防止用であって内圧が調整自在とされたベース空気袋を、空気袋とベースマットの間に介在させているために、ベース空気袋の内圧を上げて硬くしてマッサージ用空気袋が下へ沈み込むのを防止することができるために、各部位に対応する空気袋を効率よく膨張させることができて効果的なマッサージを得ることができるものであり、しかもマッサージ動作終了後はベース空気袋を収縮させてしまったり好みの硬さや高さとすることができるために、就寝を妨げてしまうことがないものである。
【００７８】
請求項３の発明においては、上記ベース空気袋を臀部に対応する位置に設けていることから、構成が簡素ですむとともに、沈み込みに関して重要な部位である臀部の沈み込みを防止することができる。
【００７９】
請求項４の発明においては、人体の腰部から臀部にかけての対応位置にベース空気袋を設けていることから、使用者の体格差にかかわらず、臀部の下方位置にベース空気袋を位置させることができる。
【００８０】
請求項５の発明においては、人体の下腿部に対応する空気袋を膝用と足首用の複数に分割された空気袋からなるとともに膨張時における膝部側の空気袋の上面を膨張時における足首部側の空気袋の上面より低くしているために、空気袋が下腿部の凹凸にフィットし、脹脛部への圧迫感がなく、自然な状態で脚上げができるとともに、足首部が膝部より低い位置になることがないため、膝が曲がり足首が下方向に引っ張られるような突っ張り感もないものとなる。
【００８１】
請求項６の発明においては、除湿用空気の流出口を備えた除湿用空気袋を備えているために、マット内の除湿をすることができる。
【００８３】
請求項７の発明においては、操作部に空気袋の膨張及び保持並びに収縮によるマッサージ速度の設定部を備えているために、使用者によって感覚が異なるマッサージ動作の速度について使用者自身が予め設定しておくことができるために、違和感のない最適なマッサージを出力することができるとともに、多様なマッサージを得ることができる。
【００８４】
請求項８の発明においては、設定部で設定された速度よりも遅い速度でマッサージ動作を行わせる動作モードを備えているために、主観的にゆったりした感覚を各使用者に与えることができ、そしてこの動作によって各部位の筋肉をじっくりと伸展させて筋肉と脳内の中枢神経の緊張を緩和させ、精神をリラックスさせることができるものであり、就寝前に行うマッサージとしてきわめて効果的なものを得ることができる。
【００８５】
請求項９の発明においては、設定部で設定された速度よりも速いマッサージ動作を行わせる動作モードを備えているために、主観的に少し速めの動作感覚を各使用者に与えることができる、そしてこの動作により、上半身の筋肉をダイナミックに伸展させ、ウォームアップ効果で起床後活動できる態勢を整えさせることができる。
【００８６】
請求項１０の発明においては、設定部で設定部で設定された速度よりも遅い速度でマッサージ動作を行わせた後、設定部で設定された速度よりも速いマッサージ動作を行わせる動作モードを備えているために、仮眠やちょっとした休憩や昼寝をする時、ゆったりとした動作ではやく眠らせ、目が覚めてからは少し速いと感じるスピードで動作が切り換わり、すっきりと目覚めさせることができる。
【００８７】
請求項１１の発明においては、この一連の動作によって、よりしっかりと全身にひねり動作を与えることができ、より強くマッサージやストレッチングをしたい時に有効である。
【００８８】
請求項１２の発明においては、臀部だけ持ち上げると持ち上げた側とは反対側にずれていくような感覚があるが、腰部に対応する空気袋を膨張させるために、腰部で身体を固定するような形になり、臀部を持ち上げて腰部をひねった時のずれていく感覚を軽減することができ、また、腰部を刺激しながらひねりができる。これは、特に就寝前だと、ずれていくという不安定な感じがなく、安心してマッサージやストレッチングしながら眠ることができる。
【００８９】
請求項１３の発明においては、骨盤を後傾する、つまり腰仙角をフラットに近づけることができ、腰部から背面にかけてをまるめるような動作を与えることができ、起床時の最初に行うマッサージとしてきわめて効果的である。睡眠中には運動をしておらず、筋肉か凝り固まっているため、この動作を寝具上で行い、その後、他の伸展運動を行うのがよい。また、下腿部に対応する空気袋を同時に膨張させて脚部を上げておくと、さらに効果的に腰部をまるめるような動作が可能となる。また、エアーポンプの性能（流量）が低い場合或いは電源容量の関係上同時に膨張させる空気袋の数に制限がある場合でも、肩部右側に対応する空気袋と肩部左側に対応する空気袋と臀部右側に対応する空気袋と臀部左側に対応する空気袋の４つの空気袋を膨張させるだけで、上半身全体が持上げられたような感じを人体に与えることができ、また収縮時にはふわっと身体が沈み込み、まわりから包み込まれるような感じを与えることができる。
【００９０】
請求項１４の発明においては、身体を左右に傾斜させて揺らすような動作により、空気袋を最大容量或いは身体が充分左右に傾斜する容量まで膨張させた場合、身体を大きく揺さぶることができ、特に起床時に動作させると効果的である。また、空気袋を膨張させる空気量を調節し、身体が傾斜しすぎて主観的に落ちそうな感じを与えることなく、またゆったりした速度と感じる動作速度で、ちょうどハンモックに乗っている時のような浮遊感を感じさせるように動作させることにより、ゆったりした気持ちよさ感を感じさせることができ、特に就寝時に動作させると効果的である。
【００９１】
請求項１５の発明においては、身体を回転させるような感触を与えることができ、ゆったりした気持ちよさ感を感じさせることができる。
【００９２】
請求項１６の発明においては、エアーポンプの性能（流量〉が低い場合或いは電源要領の関係上同時に膨張させる空気袋の数に制限がある場合でも、上半身を持ち上げるために肩部右側に対応する空気袋と肩部左側に対応する空気袋と臀部右側に対応する空気袋と臀部左側に対応する空気袋とを膨張させるために、背部や腰部が支えられずに背部から腰部にかけて空間が空いて不安定感を感じるといったことを防ぐことができる。
【００９３】
請求項１７の発明においては、時間経過とともに人体に接する空気袋の接触面積が減ることから、大きい動作から小さい動作へとフェードアウトして変化するように感じさせることができ、入眠促進に効果がある。また、一連のマッサージ動作を連続して行うマッサージコースの最後の動作にすると、自然に終わる感じがするために、好適である。
【００９４】
請求項１８の発明においては、時間経過とともに動作する空気袋の位置が人体の脳や体幹部から末梢部へ遠ざかっていくことで、空気袋が動作しているという意識を徐々になくすことができ、入眠促進に効果がある。また、コースの最後の動作にすると、自然に終わる感じがして好適である。
【００９５】
請求項１９の発明においては、圧刺激をより強く感じることができ、マッサージ効果の実感が大きくなる。また、下腿部を持上げ、鬱血した血液が心臓に戻りやすくなっている状態で下腿部に対応する空気袋上の複数の空気袋を膨張収縮させることで、より血液を心臓に戻りやすくすることができる。これは下腿部に対応する空気袋上の複数の空気袋を足先方向から順に膨張収縮させることでより効果が上がる。また、下腿部の血液中の老廃物やむくみとりにも効果がある。
【００９６】
請求項２０の発明においては、胸或いは腹を後から押し開いて、丁度胸式呼吸或いは腹式呼吸を促すような動作となるため、呼吸を意識させ調息させることができ、入眠促進に効果がある。
【００９７】
請求項２１の発明においては、身体の側面部に接触せず身体の中央部のみを安定的に持上げることができるので、胸或いは腹を後から押し開いて、丁度胸式呼吸或いは腹式呼吸を促すような動作となるため、より呼吸を意識させ調息させることができ、入眠促進に効果がある。
【００９８】
請求項２２の発明においては、空気袋の動作に合せることによってより自然に調息させることができ、より入眠促進に効果がある。
【００９９】
請求項２３の発明においては、１つの空気袋で複数の空気袋があるように下からの抑圧の位置が移動するように感じさせることができ、簡素な構成でさすりの感触やヒップアップ効果を期待することができる。
【０１００】
請求項２４の発明においては、各空気袋の横幅を身体横幅より広くしているため、まず身体の側面から膨張するものであり、空気袋が最大容量に達する前に、次の部位の空気袋に移るようにすることで、身体が側面から包み込まれるような感じを連続的に与えることができる。このように、身体を持ち上げたり押圧するための空気袋を用いながらも、給排気装置から給気される空気の量を制御することで、従来のマッサージとは異なる感じを与えることができる。
【０１０１】
請求項２５の発明においては、下腿部に対応する空気袋を収縮させるにあたり、排気する空気量と排気時間とをゆらがせるために、ただ膨張、保持、収縮させる時よりも、単調な印象を与えることなく脚部を揺らがせることができる。また、また、徐々に排気することで、脚の持ち上げられている高さを自然に下げることができ、特に就寝時に動作させると効果的である。
【０１０２】
請求項２６の発明においては、吸排気装置が発熱部材の収納部から吸入した空気を空気袋へと送り出すために、マット内に発熱部材を収納している場合においても効果的に放熱を行うことができ、部品寿命を延ばすことができる。
【０１０３】
請求項２７の発明においては、吸排気装置におけるエアーポンプによる強制排気路と大気に開放された自然排気路とを空気袋が備えているために、排気に要する時間を短縮することができ、次の動作にスムーズに移行することができて、マッサージ動作のつながり感を良くすることができる。
【図面の簡単な説明】
【図１】本発明の実施の形態の一例の斜視図である。
【図２】同上の断面図である。
【図３】空気袋と人体部位との対応関係の説明図である。
【図４】同上の概略ブロック図である。
【図５】同上のエアーポンプと電磁弁による空気袋の膨張、保持、収縮の動作を示したタイムチャートである。
【図６】他例の部分平面図である。
【図７】他例の部分平面図である。
【図８】別の例の斜視図である。
【図９】さらに別の例の斜視図である。
【図１０】他例の斜視図である。
【図１１】さらに他の例の斜視図である。
【図１２】別の例の斜視図である。
【図１３】同上の動作を示す部分断面図である。
【図１４】同上の他の例の斜視図である。
【図１５】同上の概略ブロック図である。
【図１６】同上の操作器の正面図である。
【図１７】同上の「おやすみコース」時のタイムチャートである。
【図１８】同上の「おはようコース」時のタイムチャートである、
【図１９】同上の動作の一例の説明図である。
【図２０】  (a)(b)(c)は夫々動作の一例のタイムチャートである。
【図２１】  (a)(b)は他の動作の一例の説明図とタイムチャートである。
【図２２】  (a)(b)(c)は夫々別の動作の一例の説明図である。
【図２３】  (a)(b)は夫々他の動作の一例の説明図である。
【図２４】  (a)(b)は夫々更に他の動作の一例の説明図とタイムチャートである。
【図２５】  (a)(b)は夫々別の動作の一例の説明図とタイムチャートである。
【図２６】  (a)(b)は夫々更に別の動作の一例の説明図とタイムチャートである。
【図２７】  (a)(b)は夫々他の動作の一例の説明図とタイムチャートである。
【図２８】  (a)(b)は夫々更に他の動作の一例の説明図とタイムチャートである。
【図２９】  (a)(b)は夫々別の動作の一例の説明図とタイムチャートである。
【図３０】  (a)(b)は夫々同上の動作の他例の説明図とタイムチャートである。
【図３１】空気袋と身体部位との対応関係の説明図である。
【図３２】一般的な人の安静時のポリソムノグラフィーと動作の一例のタイムチャートである。
【図３３】別の動作の例の説明図である。
【図３４】  (a)(b)は夫々他の動作の説明図である。
【図３５】異なる例の動作のタイムチャートである。
【図３６】他の動作時の斜視図である。
【図３７】別の例の斜視図である。
【図３８】同上の他例の斜視図である。
【図３９】同上の部分断面図である。
【図４０】同上の他例の部分断面図である。
【図４１】同上の別の例の部分断面図である。
【符号の説明】
１    マット
１ａ  上層マット
１ｂ  中層マット
１ｃ  ベースマット
２ａ  肩部用空気袋
２ｂ  背部用空気袋
２ｃ  腰部用空気袋
２ｄ  臀部用空気袋
２ｅ  下腿部用空気袋
３    ベース空気袋
４    給排気装置
５    制御装置
６    操作器
【図１】
0004258209.tif 000002
【図２】
0004258209.tif 000003
【図３】
0004258209.tif 000004
【図４】
0004258209.tif 000005
【図５】
0004258209.tif 000006
【図６】
0004258209.tif 000007
【図７】
0004258209.tif 000008
【図８】
0004258209.tif 000009
【図９】
0004258209.tif 000010
【図１０】
0004258209.tif 000011
【図１１】
0004258209.tif 000012
【図１２】
0004258209.tif 000013
【図１３】
0004258209.tif 000014
【図１４】
0004258209.tif 000015
【図１５】
0004258209.tif 000016
【図１６】
0004258209.tif 000017
【図１７】
0004258209.tif 000018
【図１８】
0004258209.tif 000019
【図１９】
0004258209.tif 000020
【図２０】
0004258209.tif 000021
【図２１】
0004258209.tif 000022
【図２２】
0004258209.tif 000023
【図２３】
0004258209.tif 000024
【図２４】
0004258209.tif 000025
【図２５】
0004258209.tif 000026
【図２６】
0004258209.tif 000027
【図２７】
0004258209.tif 000028
【図２８】
0004258209.tif 000029
【図２９】
0004258209.tif 000030
【図３０】
0004258209.tif 000031
【図３１】
0004258209.tif 000032
【図３２】
0004258209.tif 000033
【図３３】
0004258209.tif 000034
【図３４】
0004258209.tif 000035
【図３５】
0004258209.tif 000036
【図３６】
0004258209.tif 000037
【図３７】
0004258209.tif 000038
【図３８】
0004258209.tif 000039
【図３９】
0004258209.tif 000040
【図４０】
0004258209.tif 000041
【図４１】
0004258209.tif 000042